(57)【要約】装飾用デバイス（１０）は、個人のアイテムに結合されるように適合された第１の部材（１１）を含む。第１の部材は、側壁（１３）を有する第１の端（１２）を有する。第２の部材（１４）は、第１の部材と解放可能に係合することが可能であり、そして、第１の部材と第２の部材とが係合されたときに、第１の部材の第１の端を受け取るリセス（１５）を提供される。第２の部材は、第１の部材と第２の部材とが係合されたときに、実質的に側壁の幅に沿って第１の部材の側壁に接触するフランジ（１６）を有する。磁気的相互作用および側壁とフランジとの相互作用が、選択された位置において装飾用の第２の部材を個人のアイテムに固定するように、第１の部材と第２の部材とは磁気的に結合される。
2009523466.tif 000002
【特許請求の範囲】
【請求項１】
装飾用デバイスであって、
側壁を有する第１の端を提供された第１の部材と、
該第１の部材と解放可能に係合することができる第２の部材であって、該第２の部材は、該第１の部材の該第１の端を受け取るように適合されたリセスを有しており、かつ、該第１の部材と該第２の部材とが係合されたときに、実質的に該側壁の幅に沿って該側壁に接触するように適合されたフランジを有する、第２の部材と
を備えており、
該第１の部材と該第２の部材とのうちの一方は、磁気要素を提供され、該第１の部材と該第２の部材とのうちの他方は、磁石によって引き寄せることが可能である、装飾用デバイス。
【請求項２】
前記第２の部材の上側領域に結合されたレンズと、
該レンズの下に提供された装飾要素と
をさらに備えている、請求項１に記載の装飾用デバイス。
【請求項３】
前記レンズは、前記第２の部材に取り外し可能に固定されている、請求項２に記載の装飾用デバイス。
【請求項４】
前記第２の部材の上側領域は、装飾物を提供される、請求項１に記載の装飾用デバイス。
【請求項５】
前記第１の部材は、磁石を提供される、請求項１に記載の装飾用デバイス。
【請求項６】
前記第２の部材は、磁石を提供される、請求項１に記載の装飾用デバイス。
【請求項７】
前記第１の部材と前記第２の部材との両方が、磁石を提供される、請求項１に記載の装飾用デバイス。
【請求項８】
前記第１の部材と前記第２の部材とが係合したときに、該第２の部材の雄部材が、該第１の部材のくぼみの中に受け取られるように、該第１の部材は、前記第１の端において、該くぼみを提供され、該雄部材は、該第２の部材の前記リセス内に提供される、請求項１に記載の装飾用デバイス。
【請求項９】
前記雄部材は、磁石である、請求項８に記載の装飾用デバイス。
【請求項１０】
前記第１の部材は、鉄の材料で作られている、請求項９に記載の装飾用デバイス。
【請求項１１】
装飾用デバイスであって、
個人のアイテムに選択的に取り付けられるように適合された第１の部材であって、該第１の部材は、側壁を提供され、かつ、磁石によって引き寄せることが可能である第１の端を有する、第１の部材と、
リセスと、該リセスを画定する内側環状壁が境界となる環状キャビティとを有する第２の部材であって、磁石が該環状キャビティの中に提供されており、該第１の部材と該第２の部材とが係合されたときに、該第１の部材の該第１の端は、該第２の部材の該リセスの中に受け取られ、該第２の部材の該内側環状壁は、該第１の部材の該側壁に当たる、第２の部材と
を備えている、装飾用デバイス。
【請求項１２】
前記第２の部材の上側領域に結合されたレンズと、
該レンズの下に提供された装飾要素と
をさらに備えている、請求項１１に記載の装飾用デバイス。
【請求項１３】
前記レンズは、前記第２の部材に取り外し可能に固定されている、請求項１１に記載の装飾用デバイス。
【請求項１４】
前記第２の部材の上側領域は、装飾物を提供される、請求項１１に記載の装飾用デバイス。
【請求項１５】
装飾用デバイスであって、
複数の第１の部材であって、それぞれが、側壁を有する第１の端を提供されている、複数の第１の部材と、
該複数の第１の部材に結合されたスペーサであって、該複数の第１の部材は、該スペーサによって互いに対して相対的な位置に保持されている、スペーサと、
該複数の第１の部材と解放可能に係合することができる第２の部材であって、該第２の部材は、複数のリセスを有し、各リセスは、該第１の部材のうちの１つの部材の該第１の端を受け取り、該第１の部材のうちの１つの部材の該側壁を係合するように適合されており、該第２の部材は、該複数の第１の部材に磁気的に結合することができる、第２の部材と
を備えている、装飾用デバイス。
【請求項１６】
前記第２の部材の上側領域は、装飾物を提供される、請求項１５に記載の装飾用デバイス。
【請求項１７】
装飾用デバイスであって、
リセスを画定する側壁を有する第１の部材と、
該第１の部材と解放可能に係合することができる第２の部材であって、該第２の部材は、該第１の部材と該第２の部材とが係合されたときに、該リセスによって受け取られる雄部材を有する、第２の部材と、
該第２の部材の上側領域に結合された装飾物と
を備えており、
該第１の部材と該第２の部材とのうちの一方は、磁気要素を提供され、該第１の部材と該第２の部材とのうちの他方は、磁石によって引き寄せることが可能である、装飾用デバイス。
【請求項１８】
前記第２の部材の上側領域に結合されたレンズをさらに備えている、請求項１７に記載の装飾用デバイス。
【請求項１９】
前記第１の部材は、磁石を提供される、請求項１７に記載の装飾用デバイス。
【請求項２０】
前記第２の部材は、磁石を提供される、請求項１７に記載の装飾用デバイス。
【発明の詳細な説明】
【技術分野】
【０００１】
本発明は、装飾用デバイスに関し、さらに詳細には、装飾物を個人のアイテムに固定するデバイスに関する。
【背景技術】
【０００２】
人々が、洋服、アクセサリーおよび家庭用品のような個人のアイテムに装飾要素を配置することは、多くの場合に、望ましいものであり、かつ、楽しいものである。これを達成する１つの従来の方法は、装飾用のピンの使用を介するものである。しかしながら、選択された個人のアイテムを貫通してピンを配置することが、常に、可能であるわけでもなく、または望ましいわけでもない。他の従来の方法は、縫い付けることまたは接着剤の使用を含み、これらの両方が、それに関連する欠点を有する。
【０００３】
例えば、特許文献１および特許文献２に示されているように、フックおよびループファスナを介してアイテムに装飾物を固定する先行技術のシステムもまた存在する。他の従来技術のシステムは、特許文献３に示されているように、衣類の下側に、または衣類の中に縫い付けられたポケットの中に鉄の材料のプレートを固定することを教示する。かかるシステムは、製造するのに費用がかかることと、魅力的ではないことと、先行技術の磁気エンブレムが個人のアイテムから容易に払い落とされ得るというように、安定性が低いこととを含むいくつかの欠点を有する。
【特許文献１】米国特許第４，７７６，０４３号明細書
【特許文献２】米国特許第５，３５９，７３４号明細書
【特許文献３】米国特許第６，１７５，９６３号明細書
【発明の開示】
【発明が解決しようとする課題】
【０００４】
従って、個人のアイテムに装飾物を固定する改良されたシステムを提供することが、可能であり、かつ、望ましいということを本出願人は信じる。本発明は、かかるシステムを提供する。
【課題を解決するための手段】
【０００５】
本発明は、個人のアイテムに装飾要素を固定するシステムを提供することである。全体を通して使用されているように、「個人のアイテム」は、衣類、財布、バックパック、ベルトなどの商品、ならびに全ての種類の家庭用品、玩具、宝石およびペット用品のようなものを含むように広い用語として意味されている。これら使用の可能性は、単なる例示であり、本発明は、かかる使用には限定されない。
【０００６】
一実施形態において、装飾用デバイスは、個人のアイテムに結合されるように適合された第１の部材を含む。これは、任意の公知の利用可能な方法で達成され得るが、一実施形態においては、第１の部材は、公知の方法で個人のアイテムに結合されるリベットである。あるいは、第１の部材は、例えば、接着剤によって、選択された表面に固定される。
【０００７】
第１の部材は、側壁を有する第１の端を提供される。第２の部材は、第１の部材と解放可能に係合することができ、そして、リセスを提供され、該リセスは、第１の部材と第２の部材とが係合されたときに、第１の部材の第１の端を受け取る。第２の部材は、フランジをさらに提供され、該フランジは、第１の部材と第２の部材とが係合されるときに、実質的に側壁の幅に沿って第１の部材の側壁に接触する。第１の部材と第２の部材とは磁気的に結合される。さらに詳細には、第１の部材と第２の部材とのうちの一方が、磁気要素を含み、第１の部材と第２の部材との他方は、磁石に引きつけられることができる。これは、磁石および鉄の要素の使用を介して、または２つの磁石の使用を介して達成され得るということが理解される。
【０００８】
一実施形態において、レンズが、第２の部材の上側領域に結合され、装飾要素が、レンズの下に提供される。一実施形態において、レンズは、第２の部材に取り外し可能に固定され、ユーザが、レンズを通して見ることができる装飾物を取り替えること可能にする。他の実施形態において、レンズは、固定されるか、または削除される。これらおよび他の実施形態において、第２の部材の上側領域は、装飾物を直接的に提供され得る。全体を通して使用されているように、「装飾物」は、広範な意味を含む用語であり、限定するものではないが、宝石、ガラス、金属加工品、エナメル、刺繍、プラスチックなどの使用を含む任意の形式を取り得、装飾的であり得るか、または識別機能として働き得るということが理解される。
【０００９】
本発明は、個人のアイテムに装飾物を固定することに対して、先行技術のシステムを上回る多くの利益を提供する。さらに詳細には、装飾部材のリセスの中に受け取られるリベットに磁気的に装飾部材を固定することによって、および装飾部材のフランジが、リベットの側壁に沿って延びるということを確実にすることによって、横方向の安定性が、２つの部分の間に提供され、装飾要素をリベットにさらに固定する。リベットは、外観が平凡であり、取り付けに費用がかからないとすると、様々な第１の部材、すなわち、リベットを個人のアイテムに取り付け、次に、所望に応じて、１つ以上の装飾用の第２の部材に固定することを、ユーザは選択し得る。上で記述されたように、単に磁気的に引きつけられるというよりも、リベットの幅にわたって固定されたフランジの配置が、横方向の安定性を提供し、該横方向の安定性が、装飾アイテムが、偶発的に第１の部材から取り除かれることを防止することを助ける。
【００１０】
さらに、個人のアイテムにリベットを有することは、ファッション的に許容できる。従って、個人のアイテムに選択されたしるしを取り付けることの不足が、金属のディスクの露出をもたらし得る先行技術のシステムとは異なり、ユーザが装飾用の第２の部材を使用しないことを選択した場合であっても、個人のアイテムに単独で提供された第１の部材を有することは、許容できる。従って、本システムは、より安全で費用効果が高く、ファッション的に許容できる。
【発明を実施するための最良の形態】
【００１１】
図１および図２に例示されるように、本発明に従って提供される装飾用デバイス１０は、第１の部材１１と第２の部材１４とを含む。第１の部材１１は、側壁１３を有する第１の端１２を提供される。第１の部材１１は、任意の選択された個人のアイテムに結合されるように適合される。これは任意の公知の方法で達成され得るが、一実施形態において、第１の部材は、シャフト２８とバッカー２９とを含む。リベットの取り付けと同様に、従来のツールは、バッカー２９のポスト３３を個人のアイテムの選択された表面を貫通して第１の部材１１の中空シャフト２８の中に押しやるように使用され、それにより第１の部材１１を個人のアイテムの選択された位置に固定し、第１の端１２が、個人のアイテムの表面の一方の側に位置決めされ、バッカー２９が、個人のアイテムの表面の反対側に位置決めされる。
【００１２】
図１および図２にさらに例示されるように、第２の部材１４は、リセス１５を提供され、該リセス１５は、第１の部材１１と第２の部材１４とが係合されるときに、第１の部材１１の第１の端１２を受け取るように適合されている。さらに、リセス１５は、内側環状壁２５によって画定され、該内側環状壁２５は、フランジ１６を形成しており、リセス１５の深さは、第１の部材と第２の部材とが係合されたときに、フランジ１６が、実質的に側壁の幅１７に沿って第１の部材１１の側壁１３に接触するということを確実にするように選択される。リセス１５と第１の部材１１の第１の端１２との間に提供された締まりばめに加えて、第１の部材１１と第２の部材１４とは互いに磁気的に引き寄せられる。さらに詳細には、第１の部材と第２の部材とのうちの一方が、磁気要素を提供され、第１の部材と第２の部材とのうちの他方は、磁石によって引き寄せることが可能である。図２に示されているような一実施形態において、第２の部材１４は、内側環状壁２５が境界となる環状キャビティ２４を提供され、磁石１８が環状キャビティ２４の中に位置決めされる。鉄のディスク１９が第１の部材の第１の端１２内に位置決めされる。あるいは、図３に例示されたように、第１の部材１１が、鉄の材料で作られ、鉄のディスクの必要性を排除し得る。
【００１３】
本発明の一実施形態において、レンズ２０が第２の部材１４の上側領域に結合され、装飾要素２１が、レンズを通して見ることができるように、レンズ２０の下に位置決めされる。一実施形態において、レンズは、第２の部材に取り外し可能に固定され、それによりユーザが、第２の部材１４の中に位置決めされた装飾要素を交換することを可能にする。あるいは、固定部材１４の上側表面は、装飾物を直接的に提供され得、第２の部材は、レンズ２０を含むことも含まないこともあり得る。
【００１４】
図４に例示されたような代替の実施形態において、くぼみ２２が第１の部材１１の第１の端１２に提供される。第１の部材と第２の部材とが係合されるときに、雄部材２３が第１の部材１１のくぼみ２２の中に受け取られるように、雄部材２３は、第２の部材１４におけるリセス１５の上側表面から下側に延びている。一実施形態において、雄部材２３は、磁石であり、第１の部材１１は、鉄の材料で作られる。先の実施形態と同様に、第２の部材１４は、フランジ１６を有し、該フランジ１６は、実質的に第１の部材１１の側壁１３の幅に沿って延びている。このように、第１の部材１１と第２の部材１４とは、磁気的に結合され、フランジ１６と側壁１３との間のインターフェースは、横方向の安定性を提供し、それにより、第１の部材と第２の部材とをさらに一緒に固定する。あるいは、第２の部材１４のフランジ１６は、省かれ得る。従って、雄部材２３が、くぼみ２２の中に受け取られ、かつ、側壁１３によって囲まれることによって、横方向の安定性が提供される。
【００１５】
あるいは、図５に例示されているように、第２の部材１４に提供された雄部材３８は、第１の部材１１の第１の端１２の上側表面に載っており、それにより磁石１８と鉄の第１の部材１１との間に小さな空隙を提供し、それにより磁気結合の強度を改善する。この場合もまた、上に記述された実施形態と同様に、第２の部材１４は、リセス１５を画定するフランジ１６を提供されるが、リセス１５の中に、第１の部材１１の第１の端１２が受け取られる。従って、第１の部材１１と第２の部材１４とは、磁気的に結合され、フランジ１６と側壁１３との間のインターフェースは、横方向の安定性を提供し、それにより第１の部材と第２の部材とをさらに一緒に固定する。
【００１６】
例示された実施形態は、第２の部材内に提供される磁石を示し、第１の部材が磁石によって引き寄せられることが可能であるが、第１の部材が磁石を有し得、第２の部材が磁石によって引き寄せられることが可能であるというふうに、この配置は逆にされ得るということが理解される。これは、磁石と鉄の材料との使用を介して達成され得るが、反対の極性を有する２つの磁石の使用を介しても達成され得る。しかしながら、第２の部材内に磁石を提供することによって、第２の部材１４は、装飾要素２１を陳列するために、別の表面、例えば、冷蔵庫にも配置され得る。陳列の目的のために、複数の第２の部材が取り付け可能であるボードを有することも望ましくあり得る。
【００１７】
図６Ａ〜図６Ｃに例示された別の実施形態において、スペーサ２６が複数の第１の部材１１に結合され、第１の部材を互いに対して一定の位置に保持する。複数のリセス３０を提供された第２の部材２７は、上に記述されたように、第１の部材に解放可能に結合することができる。リセス３０の反対の側において、第２の部材２７の上側領域３１は、任意の所望の装飾物３２を提供される。例えば、所望の装飾物が細長いとき、例えば、長方形または楕円形の形であるとき、かかる配置が望ましくなり得る。図６Ｄに例示された代替の実施形態において、リセス３０を形成する複数のボス３４が、第２の部材３５の裏側に接着されており、一実施形態において、該第２の部材３５は、可撓性があり、例えば、布地またはプラスチックで作られている。
【００１８】
従来のリベットが個人のアイテムに取り付けられるように、本発明の第１の部材１１は、選択された個人のアイテムに固定され得るが、任意の利用可能な方法が、選択された位置において、第１の部材１１を個人のアイテムに固定するために使用され得るということが理解され得る。さらに、第１の部材１１は、個人のアイテムを貫通して延びる必要はなく、むしろ個人のアイテムの上側表面に固定され得る。例えば、第１の部材１１は、例えば、接着剤によって、セラミックまたは金属の表面のような硬い表面に固定され、それにより装飾用の第２の部材が、皿またはコーヒーマグのような個人のアイテムに取り付けられることを可能にし得る。第１の部材１１が、このように表面に取り付けられた場合、ディスク３７を効果的に形成する側壁１３を有する第１の端１２が、選択された表面に向けられて結合されるように、シャフト２８とバッカー２９とが削除され得る。例示の目的のために、複数のディスク３７が、図７においてマグ３６に結合されて示されている。しかしながら、かかるディスクは、任意の選択された硬い表面に結合され得るということが理解される。ディスク３７は、事実上、上に記述された実施形態全体を通して示された、第１の部材１１の第１の端１２であり、鉄または磁石であり得、様々な第２の部材に関して上で記述された実施形態のうちの任意のものと結合し得る。
【００１９】
本明細書において参照された、および／または出願データシートにおいて列挙された、上記の米国特許、米国特許出願公開、米国特許出願、外国特許、外国特許出願、および非特許刊行物の全てが、本明細書においてその全体が参考として援用される。
【００２０】
上記のことから、本発明の特定の実施形態が、例示の目的のために本明細書において記述されてきたが、本発明の精神および範囲を逸脱することなく、様々な改変が行われ得るということが理解される。従って、本発明は、添付の特許請求の範囲による場合を除いて限定されることはない。
【図面の簡単な説明】
【００２１】
【図１】図１は、本発明に従って提供される装飾用デバイスの正面図である。
【図２】図２は、図１の切断線２−２に沿って取られた、図１のデバイスの分解正面断面図である。
【図３】図３は、本発明の代替の実施形態の断面図である。
【図４】図４は、本発明の別の代替の実施形態の断面図である。
【図５】図５は、本発明の別の代替の実施形態の断面図である。
【図６Ａ】図６Ａは、本発明の代替の実施形態の第１の部材の等角図である。
【図６Ｂ】図６Ｂは、図６Ａの第１の部材と組み合わせて使用する第２の部材の等角図である。
【図６Ｃ】図６Ｃは、図６Ｂの部材の代替の等角図である。
【図６Ｄ】図６Ｄは、図６Ａの第１の部材と組み合わせて使用する第２の部材の代替の実施形態である。
【図７】図７は、マグにおいて利用する本発明の正面図である。
【図１】
2009523466.tif 000003
【図２】
2009523466.tif 000004
【図３】
2009523466.tif 000005
【図４】
2009523466.tif 000006
【図５】
2009523466.tif 000007
【図６Ａ】
2009523466.tif 000008
【図６Ｂ】
2009523466.tif 000009
【図６Ｃ】
2009523466.tif 000010
【図６Ｄ】
2009523466.tif 000011
【図７】
2009523466.tif 000012